(57)【要約】【課題】カテーテル操作時、点滴時、透析時などに医療用器具の接続部に使用されるルアーロックコネクターのロックリングに緩みが発生することがなく、安全性を維持することができるロックリング緩み防止機構及びこれを用いた医療用具を提供すること。【解決手段】内腔部に雌ねじ部を備えたロックリング３を雄ルアー４近傍の軸方向に移動可能に取り付けた雄コネクタと、雄コネクタの雄ルアー４に嵌挿される雌ルアー２１を有しこの雌ルアー２１の先端近傍外周にロックリング３の雌ねじ部と螺合する雄ネジ部を有する雌コネクタとを備えた、弾性部材によって形成された医療用のロック型接続具であって、一方のねじ部のねじ山の始端部近傍に、弾性を有し他方のねじ部のねじ山を乗り上げて固定させる係止部３０，３１を設けた。上記のロックリング緩み防止機構を、医療用活栓の接続部や、カテーテルの接続部に設けた。【選択図】        図１
2005000466.tif 000002
【特許請求の範囲】
【請求項１】
内腔部に雌ねじ部を備えたロックリングを雄ルアー近傍の軸方向に移動可能に取り付けた雄コネクタと、該雄コネクタの雄ルアーに嵌挿される雌ルアーを有し該雌ルアーの先端近傍外周に前記ロックリングの雌ねじ部と螺合する雄ネジ部を有する雌コネクタとを備えた、弾性部材によって形成された医療用のロック型接続具において、
前記一方のねじ部のねじ山の始端部近傍に、弾性を有し他方のねじ部のねじ山を乗り上げて固定させる係止部を設けたことを特徴とするロックリングの緩み防止機構。
【請求項２】
前記雌コネクタの雄ネジ部のねじ山の始端部近傍に、ロックリングの雌ネジ部のねじ山を乗り上げ固定させる弾性の係止部を設けたことを特徴とする請求項１記載のロックリングの緩み防止機構。
【請求項３】
前記弾性の係止部を、ねじ山側に位置して他方のねじ山を乗り上げ固定させる係止固定部と、前記他方のねじ山を該係止固定部に乗り上げさせるテーパー部とによって構成したことを特徴とする請求項１又は２記載のロックリングの緩み防止機構。
【請求項４】
係止部の前面がねじ山の軸方向に対してほぼ直交するように構成したことを特徴とする請求項１乃至３のいずれかに記載のロックリングの緩み防止機構。
【請求項５】
カテーテルの接続部に、請求項１乃至４のいずれかに記載のロックリングの緩み防止機構を設けたことを特徴とする医療用具。
【請求項６】
医療用活栓の接続部に、請求項１乃至４のいずれかに記載のロックリングの緩み防止機構を設けたことを特徴とする医療用具。
【発明の詳細な説明】
【０００１】
【発明の属する技術分野】
本発明は、医療用器具の接続部に用いるロックリングの緩み防止機構に係り、より詳しくは、例えば、血管内に留置するカテーテルの接続部や、輸液ラインに薬液を注入したり動脈ラインから採血をする場合などにルートを切換える三方活栓などの接続部などに用いることができるロックリングの緩み防止機構及びこれを用いた医療用具に関するものである。
【０００２】
【従来の技術】
今日の医療では、補液、薬剤投与、栄養管理の目的で血管内にカテーテルを留置する治療が日常的に行われている。図９は例えばカテーテルを用いて行う治療方法の一例を示す説明図で、輸液瓶５０、輸液セット５１、三方活栓５２、輸液フィルター５３、中心静脈注射用カテーテル５４を備えており、それぞれの輸液ラインは、輸液瓶５０と輸液セット５１を接続する第１の接続部５５、輸液セット５１と三方活栓５２を接続する第２の接続部５６、三方活栓５２と輸液フィルター５３を接続するの第３の接続部５７、輸液フィルター５２と中心静脈注射用カテーテル５４を接続する第４の接続部５８によって接続され、カテーテルの操作時には中心静脈注射用カテーテル５４の先端５４ａを刺入部５９より体内に挿入する。
こうして、血管内に中心静脈注射用カテーテル５４を留置し、補液、薬剤投与、栄養管理などを行う。
【０００３】
図１０は例えば点滴を行う治療方法の一例を示す説明図で、ボトル６０、ドリップチャンバー６１、クレンメ６２、三方活栓６３、エクステンションチューブ６４、タコ管６５、注射針６６を備えており、それぞれの輸液ラインは、三方活栓６３とエクステンションチューブ６４との接続部６７などにおいて接続され、注射針６６を皮膚刺入部６８から血管に刺突して点滴を行う。
【０００４】
ところで、接続部における従来の接続具としては、例えば、図１１に示すように、内側がねじ構造になっている可動式ロックリング７０を雄コネクタ７１の雄ルアー７２部分に装着し、この雄ルアー７２部分を雌コネクタ７３の雌ルアー７４部分と嵌合させたのち、可動式ロックリング７０の内壁に形成された雌ねじ７５に雌コネクタ７３の外周に形成された雄ねじ７６を螺合させ、可動式ロックリング７０を回転させて締め付けて、接続部を固定するルアーロックコネクターがあった（例えば、特許文献１参照）。
【０００５】
【特許文献１】
実開昭５９−８７８４０号公報（第１頁、図３）
【０００６】
【発明が解決しようとする課題】
上記のように構成したルアーロックコネクターによれば、雌コネクタ７３側の雄ネジ７６と、雄コネクタ７１側の可動式ロックリング７０の雌ネジ７５が緩んでしまう場合があった。これは、雌コネクタ７３側の雄ネジ７６と、可動式ロックリング７０側の雌ネジ７５を締め付けた際に、可動式ロックリング７０部分と雌ルアー７４部分との間の摩擦抵抗が少ないために発生する。
【０００７】
カテーテルや点滴装置のような医療用具においては、接続具を用いて接続したあとに輸液を行うが、この場合、特に輸液ラインの接続部の擦り合わせが不良であると、接続部より空気を吸引して小さな気泡が混入され、この気泡が血管内に混入して空気塞栓を起こすおそれがあり、また、接続部の接続が不良であると接続部からの汚染が生ずることがあるため、輸液時の安全が確保されなくなる場合があった。
【０００８】
本発明は上記の課題を解決するためになされたもので、カテーテル操作時、点滴時、透析時などに医療用器具の接続部に使用されるルアーロックコネクターのロックリングに緩みが発生することがなく、安全性を維持することができるロックリングの緩み防止機構及びこれを用いた医療用具を提供することを目的とする。
【０００９】
【課題を解決するための手段】
本発明に係るロックリングの緩み防止機構は、内腔部に雌ねじ部を備えたロックリングを雄ルアー近傍の軸方向に移動可能に取り付けた雄コネクタと、雄コネクタの雄ルアーに嵌挿される雌ルアーを備えこの雌ルアーの先端近傍外周にロックリングの雌ねじ部と螺合する雄ネジ部を有する雌コネクタとを備えた、弾性部材によって形成された医療用のロック型接続具において、一方のねじ部のねじ山の始端部近傍に、弾性を有し他方のねじ部のねじ山を乗り上げて固定させる係止部を設けたものである。
【００１０】
また、雌コネクタの雄ネジ部のねじ山の始端部近傍に、ロックリングの雌ネジ部のねじ山を乗り上げ固定させる弾性の係止部を設けたものである。
【００１１】
さらに、弾性の係止部を、ねじ山側に位置して他方のねじ山を乗り上げ固定させる係止固定部と、他方のねじ山を該係止固定部に乗り上げさせるテーパー部とによって構成したものである。
【００１２】
また、係止部の前面がねじ山の軸方向に対してほぼ直交するように構成したものである。
【００１３】
本発明に係る医療用具は、カテーテルの接続部に、上記いずれかに記載のロックリングの緩み防止機構を設けたものである。
【００１４】
また、医療用具は、医療用活栓の接続部に、上記いずれかのロックリングの緩み防止機構を設けたものである。
【００１５】
【発明の実施の形態】
［実施の形態１］
図１は、本発明の実施の形態１に係る医療用カテーテルの接続部（図９の第４の接続部５８に相当）の分解状態を示す正面図で、中心静脈注射用カテーテル側と輸液フィルター側との接続部近傍を示している。輸液フィルター５３側の接続管１の端部には排出口２が設けられ、排出口２の近傍には可動式ロックリング３が取り付けられており、排出口２の近傍に設けた雄ルアー４に、中心静脈注射用カテーテル５４側のルアーロックハブ２０の内部に設けられた雌ルアー２１を嵌合させ、接続管１とルアーロックハブ２０を可動式ロックリング３によって連結するようにしてある。なお、ルアーロックハブ２０の他端には中心静脈注射用カテーテル２２が取り付けられ、中心静脈注射用カテーテル２２を血管内に留置して補液、薬液投与などを行うようにしてある。
【００１６】
次に、輸液フィルター５３側に位置する接続管１と、中心静脈注射用カテーテル５４側に位置するルアーロックハブ２０の構成を詳述する。  まず、接続管１の構成について説明すると、図２（ａ）、（ｂ）の縦断面図及びその側面図に示すように、接続管１の雄ルアー４の近傍には、樹脂などの弾性材によって構成され、内壁にねじ山を形成するリング側螺線５と平坦な谷部を形成するリング側平面６を備え、イ方向に回転してルアーロックハブ２０に締結する可動式ロックリング３が、軸の前後方向に移動可能に取り付けられている。
【００１７】
上記のリング側螺線５は、リング側第１螺線５ａの第１の始端部５ｃと、リング側第２螺線５ｂの第２の始端部５ｄが、可動式ロックリング３の開口部側の円周上にほぼ１８０°の位置を占めて対向配置され、リング側第１螺線５ａとリング側第２螺線５ｂのそれぞれの終端部が可動式ロックリング３の奥側に位置しており、それぞれのリング側第１螺線５ａとリング側第２螺線５ｂが隣りあった状態で、第１の始端部５ｃ側からその終端部側に、あるいは第２の始端部５ｄ側からその終端部側に向かう螺旋を構成している。
【００１８】
なお、可動式ロックリング３の内腔部の奥側端部には接続管貫通穴３ａを有するリング側停止部７を備えており、その内壁が雄ルアー４側の第１の停止部８ａに当接して排出口２側への移動を停止すると共に、その外壁が雄ルアー４側の第２の停止部８ｂに当接して奥側への移動を停止するようにしてある。
【００１９】
次に、ルアーロックハブ２０の構成について説明すると、図３（ａ）、（ｂ）の正面図及びその側面図に示すように、ルアーロックハブ２０は樹脂などの弾性材によって構成され、内部に雌ルアー２１を有する細長の釣り鐘状に形成され、拡径側の開口部２３近傍の外壁にはその外周に沿って嵌合部２４が設けられ、ここにねじ山を構成して可動式ロックリング３のリング側螺線５と螺合するカテーテル側螺線２５が設けられており、また谷部を形成して可動式ロックリング３のリング側螺線５が滑動するカテーテル側平面２６が設けられている。
【００２０】
より詳しくは、図３（ｂ）に示すように、ルアーロックハブ２０に設けたカテーテル側螺線２５は、カテーテル側第１螺線２５ａとカテーテル側第２螺線２５ｂが嵌合部２４の円周上をほぼ１８０°の位置を占めて対向配置され、カテーテル側第１、第２螺線２５ａ，２５ｂのそれぞれの第１、第２の始端部２５ｃ，２５ｅが嵌合部２５の開口部２３側に位置し、カテーテル側第１、第２螺線２５ａ，２５ｂの第１、第２の終端部２５ｄ，２５ｆが嵌合部２４の奥側に位置して、それぞれのカテーテル側第１螺線２５ａとカテーテル側第２螺線２５ｂが第１の始端部２５ｃ側からその終端部２５ｄ側に、あるいは第２の始端部２５ｅ側からその終端部２５ｆ側に向かう半周をなす螺線を形成している。
【００２１】
こうして、接続管１に設けた雄ルアー４をルアーロックハブ２０に設けた雌ルアー２１に嵌合させ、可動式ロックリング３を回転することによって、ルアーロックハブ２０のカテーテル側第１、第２螺線２５ａ，２５ｂと、可動式ロックリング３のリング側第１、第２の螺線５ａ，５ｂとをそれぞれ結合させて、ルアーロックハブ２０と可動式ロックリング３とを固定できるようにしてある。
【００２２】
カテーテル側第１螺線２５ａの第１の始端部２５ｃ近傍には、螺線進行側（開口部２３と逆方向）に突起状の第１の係止部３０が設けられ、同じく、カテーテル側第２螺線２５ｂの第２の始端部２５ｅ近傍には、螺線進行側に突起状の第２の係止部３１が設けられており、これら第１、第２の係止部３０，３１によりロックリングの緩み防止機構を構成している。
【００２３】
第１の係止部３０について詳述すると、図４（ａ）、（ｂ）の平面図及びそのＡ−Ａ断面図に示すように、断面ほぼ台形状をなし、カテーテル側第１螺線２５ａの開口部２３の反対側に位置する側縁部２５ｇに連接してカテーテル側第１螺線２５ａの上面２７ｈよりも低めで上部に係止面３０ｃを備えた係止固定部３０ａが設けられ、この係止固定部３０ａからカテーテル側平面２６側に傾斜してカテーテル側平面２６に接するテーパー面３０ｄを有するテーパー部３０ｂが設けられている。係止固定部３０ａの係止面３０ｃとテーパー部３０ｂのテーパー面３０ｄとの接線部３０ｅ、及びテーパー部３０ｂのテーパー面３０ｄがカテーテル側平面２６に接する接線部３０ｆは、共に、カテーテル側第１螺線２５ａの軸方向とほぼ平行に形成されており、また、テーパー部３０ｂの前面３０ｇ及び後面３０ｈはそれぞれカテーテル側第１螺線２５ａの軸方向とほぼ直交するようにして形成してある。なお、第１の係止部３０の前面３０ｇは、カテーテル側第１螺線２５ａの第１の始端部２５ｃとほぼになるように配設されている（なお、第２の係止部３１はカテーテル側第２螺線２５ｂの側縁部に連接して設けられているが、その他の構成においては、第１の係止部３０において説明した場合と実質的に同様なので、説明を省略する）。
【００２４】
上記のように構成した本発明の作用を説明する。まず、装置の組み立て動作を説明すると、図１に示す位置にあるルアーロックハブ２０の雌ルアー２１と接続管１の雄ルアー４を嵌合し、次に、可動式ロックリング３をルアーロックハブ２０側に移動させる。
こうすると、図５に示すように、例えば、ルアーロックハブ２０側のカテーテル側第２螺線２５ｂの第２の終端部２５ｆと、可動式ロックリング３側のリング側第１螺線５ａの第１の始端部５ｃが接触する（この場合、図示しないが、ルアーロックハブ２０側のカテーテル側第１螺線２５ａの第１の終端部２５ｄと、可動式ロックリング３のリング側第２螺線５ｂの第２の始端部５ｄが接触する）。この状態で可動式ロックリング３をイ方向に回転すると、第１の始端部５ｃは、カテーテル側第１螺線２５ａの軸方向ハに移動すると共に第１の係止部３０側のニ方向に移動する（この場合、図示しないが、第２の始端部５ｄは、カテーテル側第２の螺線２５ｂの軸方向に移動すると共に第２の係止部３１の方向に移動する）。
【００２５】
可動式ロックリング３をさらにイ方向に回転すると、図６に示すように、可動式ロックリング３のそれぞれのリング側第１、第２螺線５ａ，５ｂのねじ山の端部が、第１、第２の係止部３０，３１のテーパー面３０ｄにそれぞれ接触しスライドしてせりあがる。そして、多少の力を加えると、それぞれのリング側第１、第２螺線５ａ，５ｂのねじ山の端部が、第１、第２の係止部３０，３１の係止固定部３０ａの係止面３０ｃにそれぞれ乗り上げる。
【００２６】
この状態で、さらに可動式ロックリング３をイ方向に回転すると、リング側第１、第２螺線５ａ，５ｂは、第１、第２の係止部３０，３１の係止固定部３０ａの係止面３０ｃに沿ってさらに移動し、図７に示すように、可動式ロックリング３のそれぞれのリング側第１，第２螺線５ａ、５ｂのねじ山の端部と、ルアーロックハブ２０の第１、第２の係止部３０，３１の係止面３０ｃのそれぞれとが接触状態になって停止する。このとき、可動式ロックリング３側のリング側第１、第２螺線５ａ，５ｂと、ルアーロックハブ２０側の第１、第２の係止部３０，３１は、樹脂などの弾性物質で構成されているため、押圧状態になり、しっかりと固定される。
【００２７】
このように、可動式ロックリング３を締めていく際には、当初、軽い力で回すことができ、最後に締め込んだ場合のみ、可動式ロックリング３側のリング側螺線５がルアーロックハブ２０側の係止部３０，３１に当たり、摩擦抵抗を得ることができる。このため、カテーテルを使用する際には、可動式ロックリング３を緩み難い状態で固定することができ、可動式ロックリング３の緩みという現象が発生しなくなり、カテーテル使用時や透析時などにおける安全性を確保することができる。
【００２８】
次に、装置の分解動作を説明する。ルアーロックハブ２０を取り外すには、可動式ロックリング３に多少の力を加えて先のイ方向と逆のロ方向に回転すると、図７の位置にある可動式ロックリング３のリング側第１、第２の螺線５ａ，５ｂのねじ山が先と逆方向に移動し、図６に示すように、ルアーロックハブ２０の第１、第２の係止部３０，３１の係止面３０ｃとの接触が解除され、図５に示すように、可動式ロックリング３をルアーロックハブ２０から解除でき、その後、ルアーロックハブ２０を接続管１から引き抜けば、装置を分解することができる。
【００２９】
上記の説明において、ルアーロックハブ２０の第１、第２の係止部３０，３１の形状をテーパーを備えた断面ほぼ台形状の直方体形状にしたが、この形状に限定するものではなく、テーパーを備えたほぼ立方体形状あるいはほぼ菱形形状であっても良い。また、第１、第２の係止部３０，３１のテーパー状の斜面は平面形状に構成したが、テーパーをなすものであればいかなる形状であっても良く、例えば円弧状に傾斜するものであっても、逆円弧状に傾斜するものであっても良い。また、第１、第２の係止部３０，３１はルアーロックハブ２０側の２箇所に設けたが、３カ所に設けても良く、またはそれ以上の箇所に設けたものであっても良い。さらに、第１、第２の係止部３０，３１はルアーロックハブ２０側に設けたが、可動式ロックリング３側に設けたものであっても良い。
【００３０】
［実施の形態２］
図８は、本発明の実施の形態２に係る医療用三方活栓の接続部（図９に示す三方活栓５２の接続部に相当）の分解状態を示す正面図である。樹脂などによって形成された三方活栓４０の有底円筒状の本体４１には、その側壁から三方向に分岐して内腔を備えた第１、第２、第３の分岐管４２，１ａ，４３が設けられている。第１、第２の分岐管４２，１ａはそれぞれの内腔が本体４１を介して直線状になるように配設されて回路側を構成し、第１の分岐管４２の端部には注入口４２ａが形成され、第２の分岐管１ａの端部には排出口２が形成されている。また、第３の分岐管４３、第１、第２の分岐管４２，１ａに対してほぼ直交するようにして配設されており、その端部には混注口４３ａが形成されている。
【００３１】
第２の分岐管１ａの排出口２には軸方向を前後に移動する樹脂などの弾性部材によって形成された可動式ロックリング３が取り付けられ、排出口２近傍に設けた雄ルアー４に、樹脂などの弾性物質で作られたルアーロックハブ２０の雌ルアー２１を嵌合させ、第２の分岐管１ａとルアーロックハブ２０を可動式ロックリング３によって締結するようにしてある。なお、ルアーロックハブ２０の端部には輸液フィルター２２ａが連通している。
【００３２】
三方活栓の本体４１には、注入ルート切換用のコック４４が設けられ、本体４１内に回動可能に嵌合された円柱状の軸部４５と、その一端に形成されて各分岐管４２，１ａ，４３の軸方向につまみ４４ａ，４４ｂ，４４ｃを有する頭部が設けられ、軸部４５には、頭部のつまみ４４ａ，４４ｂ，４４ｃと同方向に各分岐管４２，１ａ，４３を連通させるほぼＴ字状に形成した連通孔が設けられている。
【００３３】
上記の構成において、三方活栓の第２の分岐管１ａの接続部の構成は、実施の形態１で示した接続管１の構成と実質的に同一であり、輸液フィルター４と連通するルアーロックハブ２０の構成は実施の形態１で示した医療用カテーテルの接続部の構成と同一なので、説明を省略する。
【００３４】
上記のように構成した本発明の作用を説明する。装置の組み立て動作は実施の形態１で説明した場合と実質的に同一なので、説明を省略する。
三方活栓４０の可動式ロックリング３を締めていく際には、当初、軽い力で回すことができ、最後に締め込んだ場合のみ、可動式ロックリング３側のリング側螺線５がルアーロックハブ２０側の係止部３０，３１に当たり、摩擦抵抗を得ることができる。
【００３５】
このようにしてルアーロックハブ２０と可動式リング３を固定し、さらに三方活栓４０の第１の分岐管４２の注入口４２ａにチューブを連結し、第２の分岐管１ａの排出口２に輸液フィルター２２ａを連結する。
こうして、主薬液を第１の分岐管４２から第２に分岐管１ａを通るメインルートを通して血管に投与する。
本実施の形態によれば、可動式ロックリング３を緩み難い状態で固定することができ、可動式ロックリング３の緩みという現象が発生しなくなり、カテーテル使用時や透析時などにおける安全性を確保することができる。
装置の分解の動作は、実施の形態１で示した場合と実質的に同様なので、説明を省略する。
【００３６】
【発明の効果】
以上の説明から明らかなように、本発明に係るロックリングの緩み防止機構は、内腔部に雌ねじ部を備えたロックリングを雄ルアー近傍の軸方向に移動可能に取り付けた雄コネクタと、雄コネクタの雄ルアーに嵌挿される雌ルアーを備えこの雌ルアーの先端近傍外周にロックリングの雌ねじ部と螺合する雄ネジ部を有する雌コネクタとを備えた、弾性部材によって形成された医療用のロック型接続具において、一方のねじ部のねじ山の始端部近傍に、弾性を有し他方のねじ部のねじ山を乗り上げて固定させる係止部を設けたので、ロックリングの緩みという現象が発生しなくなり、医療操作において、安全性が増大する。特に、ロックリングの緩み防止機構を、カテーテルの接続部や医療用活栓の接続部に利用した場合は、操作性が今までと大きく変わることなしに透析やカテーテル操作などにおける安全性が非常に増大する。
【図面の簡単な説明】
【図１】本発明の実施の形態１に係る医療用カテーテルの接続部近傍の分解状態を示す正面図である。
【図２】図１の接続管の縦断面図及びその側面図である。
【図３】図１のルアーロックハブの正面図及びその側面図である。
【図４】図１のルアーロックハブの要部の平面図及びそのＡ−Ａ矢視図である。
【図５】図１の作用説明図である。
【図６】図１の作用説明図である。
【図７】図１の作用説明図である。
【図８】本発明の実施の形態２に係る三方活栓の接続部近傍の分解状態を示す正面図である。
【図９】カテーテルを用いて行う治療方法の一例を示す説明図である。
【図１０】点滴を用いて行う治療方法の一例を示す説明図である。
【図１１】従来の接続具の一例を示す縦断面図である。
【符号の説明】
１  接続管、３  可動式ロックリング、４  接続管の雄ルアー、５，５ａ、５ｂ  リング側螺線、５ｃ，５ｄ  リング側螺線の始端部、６  リング側平面、２０  ルアーロックハブ、２１  ルアーロックハブの雌ルアー、２２  カテーテル、２５，２５ａ，２５ｂ  カテーテル側螺線、２５ｃ，２５ｅ  カテーテル側螺線の始端部、２５ｄ，２５ｆ  カテーテル側螺線の終端部、２６  カテーテル側平面、３０，３１  第１、第２の係止部、３０ａ  係止固定部、３０ｂ  テーパー部、３０ｇ  係止部の前面部、５２，６３  三方活栓、５４  中心静脈注射用カテーテル、５７，６７  三方活栓の接続部、５８  中心静脈注射用カテーテルの接続部。
【図１】
2005000466.tif 000003
【図２】
2005000466.tif 000004
【図３】
2005000466.tif 000005
【図４】
2005000466.tif 000006
【図５】
2005000466.tif 000007
【図６】
2005000466.tif 000008
【図７】
2005000466.tif 000009
【図８】
2005000466.tif 000010
【図９】
2005000466.tif 000011
【図１０】
2005000466.tif 000012
【図１１】
2005000466.tif 000013